(57)【特許請求の範囲】
【請求項１】
合成樹脂モノフィラメントからなる線材を亀甲形に編み上げた網体を上面、４つの側面及び底面の６面からなる箱形に形成した合成樹脂モノフィラメント製の土木用籠材において、
当該土木用籠材を蓋無し網体と蓋有り網体の２つの部品を組み合わせたものから構成し、
上記蓋無し網体は、合成樹脂モノフィラメントからなる線材を亀甲形に編み上げた網体からなり、亀甲形を構成する隣り合う２本の線材を撚った撚り軸の軸方向になる方形状の平面の網体の両端側を同じ面で一部重ね合うようにそれぞれ折り曲げて形成された折り曲げ片と、当該折り曲げ片がそれぞれ形成された両端から中央側寄りに向けて箱形の土木用籠材の高さに相当する長さだけ離れた位置で、当該折り曲げ片の折り曲げ方向と同じ方向の上下向きに折り曲げて形成された向かい合う一対の側面と、向かい合う一対の当該側面の間に形成される非折曲の底面とからなり、上向きにコ字型の側断面形状に形成され、
上記蓋有り網体は、合成樹脂モノフィラメントからなる線材を亀甲形に編み上げた網体からなり、亀甲形を構成する隣り合う２本の線材を撚った撚り軸の軸方向になる方形状の平面の網体の両側が、両端から中央側寄りに向けて箱形の土木用籠材の上面に形成される向かい合う一対の蓋面の各蓋面に相当する長さだけ離れた位置で、同じ方向の上下向きに折り曲げてそれぞれ形成された一対の蓋面と、それぞれの一対の当該蓋面の折り曲げ位置から中央側寄りに向けて箱形の土木用籠材の高さに相当する長さだけ離れた位置で、上記蓋面の折り曲げ方向と同じ方向の上下向きに折り曲げてそれぞれ形成された向かい合う一対の側面と、向かい合う一対の当該側面の間に形成された非折曲の底面とからなり、上面側で一対の当該蓋面の先端側が一部重なり合う長方形の枠型の側断面形状に形成され、
上記蓋無し網体及び上記蓋有り網体の各底面が上下に２重に重なり合うように取り付けると共に、隣り合う蓋無し網体の側面の側端縁と蓋有り網体の側面の側端縁とを合成樹脂モノフィラメントからなる連結用線材でそれぞれ連結し、
上記蓋無し網体と上記蓋有り網体を組み合わせた６面からなる箱形の土木用籠材の隣り合う側面の４箇所の側端縁同士、及び、４つの側面の上辺縁と下辺縁の少なくとも一方に、輸送時にロール状に巻かれて折り畳まれて小さくなった土木用籠材を元の箱形の形状に瞬時に復元させる働きをなす合成樹脂モノフィラメントからなる復元用線材を取り付けた、
ことを特徴とする合成樹脂モノフィラメント製の土木用籠材。
【請求項２】
上下に２重に重なり合う底面同士の間には、通水性マットが取り付けられている請求項１記載の合成樹脂モノフィラメント製の土木用籠材。
【請求項３】
土木用籠材の向かい合う一対の側面の上側には吊り輪が取り付けられている請求項１記載の合成樹脂モノフィラメント製の土木用籠材。
【請求項４】
合成樹脂モノフィラメントからなる線材を亀甲形に編み上げた方形状の平面の網体を使用して、亀甲形を構成する隣り合う２本の線材を撚った撚り軸の軸方向になる方形状の平面の網体の両端側を同じ面で一部重ね合うようにそれぞれ折り曲げて折り曲げ片を形成し、折り曲げ片を折り曲げて重ねた２辺の周辺縁及び他の２辺の周辺縁に沿って復元用線材を亀甲形の網目の間を挿通して取り付けた後、折り曲げ片がそれぞれ形成された両端から中央側寄りに向けて箱形の土木用籠材の高さに相当する長さだけ離れた位置で、折り曲げ片の折り曲げ方向と同じ方向の上下向きに折り曲げて向かい合う一対の側面をそれぞれ形成し、向かい合う一対の側面の間に非折曲の底面を形成して、上向きにコ字型の側断面形状に形成した蓋無し網体を造り、
合成樹脂モノフィラメントからなる線材を亀甲形に編み上げた方形状の平面の網体を使用し、亀甲形を構成する隣り合う２本の線材を撚った撚り軸の軸方向になる方形状の平面の網体の両側が、両端から中央側寄りに向けて箱形の土木用籠材の上面に形成される向かい合う一対の蓋面の各蓋面に相当する長さだけ離れた位置で、同じ方向の上下向きに折り曲げて一対の蓋面をそれぞれ形成し、それぞれの当該蓋面の折り曲げ位置から中央側寄りに向けて箱形の土木用籠材の高さに相当する長さだけ離れた位置で、当該蓋面の折り曲げ方向と同じ方向の上下向きに折り曲げて向かい合う一対の側面をそれぞれ形成し、向かい合う一対の側面の間に非折曲の底面を形成し、上面側で一対の蓋面の先端側が一部重なり合う長方形の枠型の側断面形状に形成した蓋有り網体を造り、
上記蓋無し網体及び上記蓋有り網体の各側面の側端縁同士が隣り合うように、且つ各底面が上下に２重に重なり合うように６面からなる箱形に組み合わせた後に、隣り合う蓋無し網体の側面の側端縁と蓋有り網体の側面の側端縁とを交互に、合成樹脂モノフィラメントからなる連結用線材を亀甲形Ｋの網目の間を螺旋状に巻きながら挿通してそれぞれ連結した、
ことを特徴とする合成樹脂モノフィラメント製の土木用籠材の製造方法。
【請求項５】
合成樹脂モノフィラメントからなる線材を亀甲形に編み上げた方形状の平面の網体を使用して、亀甲形を構成する隣り合う２本の線材を撚った撚り軸の軸方向になる方形状の平面の網体の両端側を同じ面で一部重ね合うようにそれぞれ折り曲げて折り曲げ片を形成し、折り曲げ片がそれぞれ形成された両端から中央側寄りに向けて箱形の土木用籠材の高さに相当する長さだけ離れた位置で、折り曲げ片の折り曲げ方向と同じ方向の上下向きに折り曲げて向かい合う一対の側面をそれぞれ形成し、向かい合う一対の側面の間に非折曲の底面を形成して、上向きにコ字型の側断面形状に形成した蓋無し網体を造り、
合成樹脂モノフィラメントからなる線材を亀甲形に編み上げた方形状の平面の網体を使用し、一対の蓋面の折り曲げ予定線上及びこれに直角な他の２辺の周辺縁に沿って復元用線材を亀甲形の網目の間を挿通して取り付けた後、亀甲形を構成する隣り合う２本の線材を撚った撚り軸の軸方向になる方形状の平面の網体の両側が、両端から中央側寄りに向けて箱形の土木用籠材の上面に形成される向かい合う一対の蓋面の各蓋面に相当する長さだけ離れた位置で、同じ方向の上下向きに折り曲げて一対の蓋面をそれぞれ形成し、それぞれの当該蓋面の折り曲げ位置から中央側寄りに向けて箱形の土木用籠材の高さに相当する長さだけ離れた位置で、当該蓋面の折り曲げ方向と同じ方向の上下向きに折り曲げて向かい合う一対の側面をそれぞれ形成し、向かい合う一対の側面の間に非折曲の底面を形成し、上面側で一対の蓋面の先端側が一部重なり合う長方形の枠型の側断面形状に形成した蓋有り網体を造り、
上記蓋無し網体及び上記蓋有り網体の各側面の側端縁同士が隣り合うように、且つ各底面が上下に２重に重なり合うように６面からなる箱形に組み合わせた後に、隣り合う蓋無し網体の側面の側端縁と蓋有り網体の側面の側端縁とを交互に、合成樹脂モノフィラメントからなる連結用線材を亀甲形Ｋの網目の間を螺旋状に巻きながら挿通してそれぞれ連結した、
ことを特徴とする合成樹脂モノフィラメント製の土木用籠材の製造方法。
【請求項６】
合成樹脂モノフィラメントからなる線材を亀甲形に編み上げた方形状の平面の網体を使用して、亀甲形を構成する隣り合う２本の線材を撚った撚り軸の軸方向になる方形状の平面の網体の両端側を同じ面で一部重ね合うようにそれぞれ折り曲げて折り曲げ片を形成し、折り曲げ片を折り曲げて重ねた２辺の周辺縁及び他の２辺の周辺縁に沿って復元用線材を亀甲形の網目の間を挿通して取り付けた後、折り曲げ片がそれぞれ形成された両端から中央側寄りに向けて箱形の土木用籠材の高さに相当する長さだけ離れた位置で、折り曲げ片の折り曲げ方向と同じ方向の上下向きに折り曲げて向かい合う一対の側面をそれぞれ形成し、向かい合う一対の側面の間に非折曲の底面を形成して、上向きにコ字型の側断面形状に形成した蓋無し網体を造り、
合成樹脂モノフィラメントからなる線材を亀甲形に編み上げた方形状の平面の網体を使用し、一対の蓋面の折り曲げ予定線上及びこれに直角な他の２辺の周辺縁に沿って復元用線材を亀甲形の網目の間を挿通して取り付けた後、亀甲形を構成する隣り合う２本の線材を撚った撚り軸の軸方向になる方形状の平面の網体の両側が、両端から中央側寄りに向けて箱形の土木用籠材の上面に形成される向かい合う一対の蓋面の各蓋面に相当する長さだけ離れた位置で、同じ方向の上下向きに折り曲げて一対の蓋面をそれぞれ形成し、それぞれの当該蓋面の折り曲げ位置から中央側寄りに向けて箱形の土木用籠材の高さに相当する長さだけ離れた位置で、当該蓋面の折り曲げ方向と同じ方向の上下向きに折り曲げて向かい合う一対の側面をそれぞれ形成し、向かい合う一対の側面の間に非折曲の底面を形成し、上面側で一対の蓋面の先端側が一部重なり合う長方形の枠型の側断面形状に形成した蓋有り網体を造り、
上記蓋無し網体及び上記蓋有り網体の各側面の側端縁同士が隣り合うように、且つ各底面が上下に２重に重なり合うように６面からなる箱形に組み合わせた後に、隣り合う蓋無し網体の側面の側端縁と蓋有り網体の側面の側端縁とを交互に、合成樹脂モノフィラメントからなる連結用線材を亀甲形Ｋの網目の間を螺旋状に巻きながら挿通してそれぞれ連結した、
ことを特徴とする合成樹脂モノフィラメント製の土木用籠材の製造方法。
【発明の詳細な説明】
【技術分野】
【０００１】
この発明は、合成樹脂モノフィラメントからなる線材を亀甲形に編み上げた網体を６面に有する箱形に形成した合成樹脂モノフィラメント製の土木用籠材に係り、特に、合成樹脂モノフィラメント製の土木用籠材の部品数を２個にし、その組立作業の効率を高め、ロール状に折り曲げて小さくしたものを現場で元の箱形形状の大きさに簡単容易に復元できる合成樹脂モノフィラメント製の土木用籠材及びその製造方法に関するものである。
【背景技術】
【０００２】
合成樹脂モノフィラメントからなる線材を亀甲形に編み上げた網は、元々は生け簀用網として本願出願人が某大手繊維メーカーの協力を得て製品化したものである。合成樹脂モノフィラメントからなる線材を亀甲形の網に編み上げるには、専用の装置が必要なのは勿論であるが、２本の線材を亀甲形に撚合うには各線材を直前に予熱し、引っ張りながら編み上げることが必要である。予熱の温度や張力の強さは、線材の太さ、亀甲形のサイズ、その時々の気象条件などで毎回微妙に異なる。これが適切でないと、編み上げたときに所定の強度と形状を有する亀甲形の網にならずに崩れ、製品化できない。このように高度の製造ノウハウが要求され、本願出願人以外の業者は製造していないのが現状である。
合成樹脂モノフィラメントからなる線材を亀甲形に編み上げた網は、耐水性が高く、引っ張り強度も鉄線よりも強くて軽量であり、紫外線にも強い等の利点があり、生け簀用網としては２０年以上使用されている。ただ難点としては、値段が高いことであるが、耐久性が高くランニングコストを考えると、他の材料からなる生け簀用網に比べて有利であることが徐々に理解されて普及し始めてきており、又海外でも巨大生け簀用網として採用されている。
本願出願人は、この網が耐久性、強度、軽量、紫外線に強いなどの特徴を活かして、海以外の陸上の土木用の例えば落石用防止ネットとしても使用し始めている。鉄製の金網に比べて、前にもふれたように、値段が高いことが当初、普及の妨げであったが、鉄製の金網が場所によっては５〜１０年程で錆びて交換が余儀なくされるのに、この網は２０〜３０年以上の耐久性があり、又軽量でもあることが知られ、ランニングコストや山奥の現場での施工性を考えて徐々に普及し始めている。
本願出願人は、土木用落石用防止ネットをヒントに、さらにこの網を使った箱形の土木用籠材を考えていたが、他の企業に先行されてしまった。先行した企業はこの網を使った箱形の土木用籠材について特許（第４２５６４４８号）を取得している。
【０００３】
ところで、特許第４２５６４４８号の「土木用籠材、土木用籠材の製造方法及び土木用籠材の組み付けキット」の明細書の〔００３９〕〔００４３〕の記載及び図面の図３によれば、土木用籠材Ａは、第１分割体Ｄ１、第２分割体Ｄ２及び第３分割体Ｄ３の３つの部品よりなっている。また、図面の図１によれば、第１分割体Ｄ１は矩形の平板型、第２分割体Ｄ２は上向きのコ字型、第３分割体Ｄ３は下向きの逆Ｌ型、のそれぞれの形状からなっている。
そして、この第１分割体Ｄ１、第２分割体Ｄ２及び第３分割体Ｄ３を箱形に組み付け、その内部に砕石等の中詰め材を充填して第３分割体Ｄ３の蓋となる上面部Ｐ６の周辺縁を隣り合う辺縁と連結することで、中詰め材が詰め込まれた土木用籠材Ａが得られる（明細書の〔００４４〕参照）。
【先行技術文献】
【特許文献】
【０００４】
【特許文献１】特許第４２５６４４８号
【発明の概要】
【発明が解決しようとする課題】
【０００５】
特許第４２５６４４８号の土木用籠材Ａは、第１分割体Ｄ１、第２分割体Ｄ２及び第３分割体Ｄ３の３つの部品よりなっているので、３つの異なる形状からなる部品が必要となり、その分、面倒である。
また、３つの部品を箱形に組み付けるので、その分、組立作業が面倒となる。
さらに、この箱形への組立作業を現場で行うとすると、現場での作業効率が著しく低下することが予想される。
これを回避するためには、蓋となる上面部Ｐ６の周辺縁のみを連結せずに工場で箱形に組み立て、これを現場に輸送する場合には折り曲げて小さくして運ぶことになるが、現場で元の大きさに戻すのに手間がかかると考えられる。
加えて、箱形の土木用籠材の底面部分に、水の浄化機能を果たす微生物が付着する通水性マットを敷く場合、中詰め材の詰め込み中に底面部分に敷いた通水性マットがずれて作業がスムーズにできないことが考えられる。
【０００６】
この発明は、上記のような課題に鑑み、その課題を解決すべく創案されたものであって、その目的とするところは、合成樹脂モノフィラメント製の土木用籠材の部品数を２個にし、その組立作業の効率を高め、ロール状に折り曲げて小さくしたものを現場で元の箱形形状の大きさに簡単容易に復元でき、さらに底面部分に通水性マットを敷く場合には通水性マットを上下で挟んでずれるのを防ぐことのできる合成樹脂モノフィラメント製の土木用籠材及びその製造方法を提供することにある。
【課題を解決するための手段】
【０００７】
以上の課題を達成するために、請求項１の発明は、合成樹脂モノフィラメントからなる線材を亀甲形に編み上げた網体を上面、４つの側面及び底面の６面からなる箱形に形成した合成樹脂モノフィラメント製の土木用籠材において、当該土木用籠材を蓋無し網体と蓋有り網体の２つの部品を組み合わせたものから構成し、上記蓋無し網体は、合成樹脂モノフィラメントからなる線材を亀甲形に編み上げた網体からなり、亀甲形を構成する隣り合う２本の線材を撚った撚り軸の軸方向になる方形状の平面の網体の両端側を同じ面で一部重ね合うようにそれぞれ折り曲げて形成された折り曲げ片と、当該折り曲げ片がそれぞれ形成された両端から中央側寄りに向けて箱形の土木用籠材の高さに相当する長さだけ離れた位置で、当該折り曲げ片の折り曲げ方向と同じ方向の上下向きに折り曲げて形成された向かい合う一対の側面と、向かい合う一対の当該側面の間に形成される非折曲の底面とからなり、上向きにコ字型の側断面形状に形成され、上記蓋有り網体は、合成樹脂モノフィラメントからなる線材を亀甲形に編み上げた網体からなり、亀甲形を構成する隣り合う２本の線材を撚った撚り軸の軸方向になる方形状の平面の網体の両側が、両端から中央側寄りに向けて箱形の土木用籠材の上面に形成される向かい合う一対の蓋面の各蓋面に相当する長さだけ離れた位置で、同じ方向の上下向きに折り曲げてそれぞれ形成された一対の蓋面と、それぞれの一対の当該蓋面の折り曲げ位置から中央側寄りに向けて箱形の土木用籠材の高さに相当する長さだけ離れた位置で、上記蓋面の折り曲げ方向と同じ方向の上下向きに折り曲げてそれぞれ形成された向かい合う一対の側面と、向かい合う一対の当該側面の間に形成された非折曲の底面とからなり、上面側で一対の当該蓋面の先端側が一部重なり合う長方形の枠型の側断面形状に形成され、上記蓋無し網体及び上記蓋有り網体の各底面が上下に２重に重なり合うように取り付けると共に、隣り合う蓋無し網体の側面の側端縁と蓋有り網体の側面の側端縁とを合成樹脂モノフィラメントからなる連結用線材でそれぞれ連結し、上記蓋無し網体と上記蓋有り網体を組み合わせた６面からなる箱形の土木用籠材の隣り合う側面の４箇所の側端縁同士、及び、４つの側面の上辺縁と下辺縁の少なくとも一方に、輸送時にロール状に巻かれて折り畳まれて小さくなった土木用籠材を元の箱形の形状に瞬時に復元させる働きをなす合成樹脂モノフィラメントからなる復元用線材を取り付けた手段よりなるものである。
【０００８】
ここで、請求項１の好ましい態様として、上下に２重に重なり合う底面同士の間には通水性マットが取り付けられている。また、土木用籠材の向かい合う一対の側面の上側には吊り輪が取り付けられている。
【０００９】
また、以上の課題を達成するために、請求項４の発明は、合成樹脂モノフィラメントからなる線材を亀甲形に編み上げた方形状の平面の網体を使用して、亀甲形を構成する隣り合う２本の線材を撚った撚り軸の軸方向になる方形状の平面の網体の両端側を同じ面で一部重ね合うようにそれぞれ折り曲げて折り曲げ片を形成し、折り曲げ片を折り曲げて重ねた２辺の周辺縁及び他の２辺の周辺縁に沿って復元用線材を亀甲形の網目の間を挿通して取り付けた後、折り曲げ片がそれぞれ形成された両端から中央側寄りに向けて箱形の土木用籠材の高さに相当する長さだけ離れた位置で、折り曲げ片の折り曲げ方向と同じ方向の上下向きに折り曲げて向かい合う一対の側面をそれぞれ形成し、向かい合う一対の側面の間に非折曲の底面を形成して、上向きにコ字型の側断面形状に形成した蓋無し網体を造り、合成樹脂モノフィラメントからなる線材を亀甲形に編み上げた方形状の平面の網体を使用し、亀甲形を構成する隣り合う２本の線材を撚った撚り軸の軸方向になる方形状の平面の網体の両側が、両端から中央側寄りに向けて箱形の土木用籠材の上面に形成される向かい合う一対の蓋面の各蓋面に相当する長さだけ離れた位置で、同じ方向の上下向きに折り曲げて一対の蓋面をそれぞれ形成し、それぞれの当該蓋面の折り曲げ位置から中央側寄りに向けて箱形の土木用籠材の高さに相当する長さだけ離れた位置で、当該蓋面の折り曲げ方向と同じ方向の上下向きに折り曲げて向かい合う一対の側面をそれぞれ形成し、向かい合う一対の側面の間に非折曲の底面を形成し、上面側で一対の蓋面の先端側が一部重なり合う長方形の枠型の側断面形状に形成した蓋有り網体を造り、上記蓋無し網体及び上記蓋有り網体の各側面の側端縁同士が隣り合うように、且つ各底面が上下に２重に重なり合うように６面からなる箱形に組み合わせた後に、隣り合う蓋無し網体の側面の側端縁と蓋有り網体の側面の側端縁とを交互に、合成樹脂モノフィラメントからなる連結用線材を亀甲形Ｋの網目の間を螺旋状に巻きながら挿通してそれぞれ連結した手段よりなるものである。
【００１０】
また、以上の課題を達成するために、請求項５の発明は、合成樹脂モノフィラメントからなる線材を亀甲形に編み上げた方形状の平面の網体を使用して、亀甲形を構成する隣り合う２本の線材を撚った撚り軸の軸方向になる方形状の平面の網体の両端側を同じ面で一部重ね合うようにそれぞれ折り曲げて折り曲げ片を形成し、折り曲げ片がそれぞれ形成された両端から中央側寄りに向けて箱形の土木用籠材の高さに相当する長さだけ離れた位置で、折り曲げ片の折り曲げ方向と同じ方向の上下向きに折り曲げて向かい合う一対の側面をそれぞれ形成し、向かい合う一対の側面の間に非折曲の底面を形成して、上向きにコ字型の側断面形状に形成した蓋無し網体を造り、合成樹脂モノフィラメントからなる線材を亀甲形に編み上げた方形状の平面の網体を使用し、一対の蓋面の折り曲げ予定線上及びこれに直角な他の２辺の周辺縁に沿って復元用線材を亀甲形の網目の間を挿通して取り付けた後、亀甲形を構成する隣り合う２本の線材を撚った撚り軸の軸方向になる方形状の平面の網体の両側が、両端から中央側寄りに向けて箱形の土木用籠材の上面に形成される向かい合う一対の蓋面の各蓋面に相当する長さだけ離れた位置で、同じ方向の上下向きに折り曲げて一対の蓋面をそれぞれ形成し、それぞれの当該蓋面の折り曲げ位置から中央側寄りに向けて箱形の土木用籠材の高さに相当する長さだけ離れた位置で、当該蓋面の折り曲げ方向と同じ方向の上下向きに折り曲げて向かい合う一対の側面をそれぞれ形成し、向かい合う一対の側面の間に非折曲の底面を形成し、上面側で一対の蓋面の先端側が一部重なり合う長方形の枠型の側断面形状に形成した蓋有り網体を造り、上記蓋無し網体及び上記蓋有り網体の各側面の側端縁同士が隣り合うように、且つ各底面が上下に２重に重なり合うように６面からなる箱形に組み合わせた後に、隣り合う蓋無し網体の側面の側端縁と蓋有り網体の側面の側端縁とを交互に、合成樹脂モノフィラメントからなる連結用線材を亀甲形Ｋの網目の間を螺旋状に巻きながら挿通してそれぞれ連結した手段よりなるものである。
【００１１】
また、以上の課題を達成するために、請求項６の発明は、合成樹脂モノフィラメントからなる線材を亀甲形に編み上げた方形状の平面の網体を使用して、亀甲形を構成する隣り合う２本の線材を撚った撚り軸の軸方向になる方形状の平面の網体の両端側を同じ面で一部重ね合うようにそれぞれ折り曲げて折り曲げ片を形成し、折り曲げ片を折り曲げて重ねた２辺の周辺縁及び他の２辺の周辺縁に沿って復元用線材を亀甲形の網目の間を挿通して取り付けた後、折り曲げ片がそれぞれ形成された両端から中央側寄りに向けて箱形の土木用籠材の高さに相当する長さだけ離れた位置で、折り曲げ片の折り曲げ方向と同じ方向の上下向きに折り曲げて向かい合う一対の側面をそれぞれ形成し、向かい合う一対の側面の間に非折曲の底面を形成して、上向きにコ字型の側断面形状に形成した蓋無し網体を造り、合成樹脂モノフィラメントからなる線材を亀甲形に編み上げた方形状の平面の網体を使用し、一対の蓋面の折り曲げ予定線上及びこれに直角な他の２辺の周辺縁に沿って復元用線材を亀甲形の網目の間を挿通して取り付けた後、亀甲形を構成する隣り合う２本の線材を撚った撚り軸の軸方向になる方形状の平面の網体の両側が、両端から中央側寄りに向けて箱形の土木用籠材の上面に形成される向かい合う一対の蓋面の各蓋面に相当する長さだけ離れた位置で、同じ方向の上下向きに折り曲げて一対の蓋面をそれぞれ形成し、それぞれの当該蓋面の折り曲げ位置から中央側寄りに向けて箱形の土木用籠材の高さに相当する長さだけ離れた位置で、当該蓋面の折り曲げ方向と同じ方向の上下向きに折り曲げて向かい合う一対の側面をそれぞれ形成し、向かい合う一対の側面の間に非折曲の底面を形成し、上面側で一対の蓋面の先端側が一部重なり合う長方形の枠型の側断面形状に形成した蓋有り網体を造り、上記蓋無し網体及び上記蓋有り網体の各側面の側端縁同士が隣り合うように、且つ各底面が上下に２重に重なり合うように６面からなる箱形に組み合わせた後に、隣り合う蓋無し網体の側面の側端縁と蓋有り網体の側面の側端縁とを交互に、合成樹脂モノフィラメントからなる連結用線材を亀甲形Ｋの網目の間を螺旋状に巻きながら挿通してそれぞれ連結した手段よりなるものである。
【発明の効果】
【００１２】
課題を解決するための手段よりなるこの発明に係る合成樹脂モノフィラメント製の土木用籠材及びその製造方法によれば、合成樹脂モノフィラメント製の土木用籠材の部品数を２個に減少できる。これにより、部品数が減少することにより組み立て作業の効率を高めることができる。また、部品数を減らすことで網体の切断作業などの部品製作の工程が減り、部品製作の作業効率も高めることができる。
しかも、合成樹脂モノフィラメント製の土木用籠材に復元用線材を取り付けることにより、この土木用籠材を輸送時に小さくロール状に巻いても、現場で復元用線材の働きによって、元の箱形の土木用籠材に瞬時に復帰させることができる。すなわち、４つの側面の隣り合う隅角部には全て復元用線材が上下向きに取り付けられているので、一時的に弧状に曲がっていた４つの側面をこの復元用線材の働きで上下方向の直線上に瞬時に復帰させることができる。また、側面の上辺縁又は下辺縁の少なくとも一方に取り付けられた復元用線材と、二重底になった底面との協動による働きで、ロール状に巻かれた蓋面や底面部分を平面状に瞬時に復帰させることができる。
さらに、土木用籠材の底面を二重にすることにより、設置作業などで傷みやすい下面側の底面網体の表面が破網した場合でも内部の中詰め材が飛び出ることはなく、設置作業も安全で容易とすることができる。
【００１３】
また、請求項２の場合には、二重の底面の網体の間に挟んだ通水性マットに、微生物が付着できるようにして河川などの水の浄化機能を果たすようにすることができる。また、通水性マットにより、砂、泥などの流失もある程度防ぐことができる。さらに、通水性マットは上下の底面網体で固定されるため、中詰め材を土木用籠材の内部に詰め込む作業時に、通水性マットのズレが起こらず作業をスムーズに行うことができる。
【００１４】
また、請求項３の場合には、吊り輪を利用して中詰め材を詰め込んだ重たい土木用籠材をクレーンで吊り上げて所定の設置場所に容易に移動させることができ、土木用籠材の周囲にクレーンで吊り上げるためのロープなどの取り付け作業を不要にでき、現場での作業効率を高めることができる。
【００１５】
また、請求項４にあっては、土木用籠材の蓋無し網体に復元用線材を簡単に取り付けることができる。
【００１６】
また、請求項５にあっては、土木用籠材の蓋有り網体に復元用線材を簡単に取り付けることができる。
【００１７】
また、請求項６にあっては、土木用籠材の蓋無し網体及び蓋有り網体の双方に復元用線材を簡単に取り付けて、土木用籠材の現場での復元力を更に高めることができる。
【図面の簡単な説明】
【００１８】
【図１】この発明を実施するための形態を示す復元用線材が蓋無し網体に取り付けられたときの合成樹脂モノフィラメント製の土木用籠材の分解斜視図である。
【図２】この発明を実施するための形態を示す復元用線材が蓋有り網体に取り付けられたときの合成樹脂モノフィラメント製の土木用籠材の分解斜視図である。
【図３】この発明を実施するための形態を示す復元用線材が蓋無し網体及び蓋有り網体の双方に取り付けられたときの合成樹脂モノフィラメント製の土木用籠材の分解斜視図である。
【図４】この発明を実施するための形態を示す合成樹脂モノフィラメント製の網体の部分表面図である。
【図５】（Ａ）はこの発明を実施するための形態を示す蓋有り網体の折り曲げ前の展開図である。  （Ｂ）はこの発明を実施するための形態を示す蓋無し網体の折り曲げ前の展開図である。
【図６】（Ａ）はこの発明を実施するための形態を示す合成樹脂モノフィラメントからなる線材の部分斜視図である。  （Ｂ）はこの発明を実施するための形態を示す合成樹脂モノフィラメントからなる線材を束ねた復元用線材の部分斜視図である。  （Ｃ）はこの発明を実施するための形態を示す復元用線材を亀甲形の間に挿通させたときの部分側面図である。
【図７】（Ａ）はこの発明を実施するための形態を示す連結用線材で連結するときの合成樹脂モノフィラメント製の土木用籠材の斜視図である。  （Ｂ）はこの発明を実施するための形態を示す連結用線材で連結するときの部分拡大図である。
【図８】（Ａ）はこの発明を実施するための形態を示す合成樹脂モノフィラメント製の土木用籠材に吊り輪をとりつけたときの平面図である。  （Ｂ）はこの発明を実施するための形態を示す合成樹脂モノフィラメント製の土木用籠材に吊り輪をとりつけたときの側面図である。
【図９】（Ａ）〜（Ｃ）はこの発明を実施するための形態を示す合成樹脂モノフィラメント製の土木用籠材をロール状に巻いて小さくする方法の説明図である。
【発明を実施するための形態】
【００１９】
以下、図面に記載の発明を実施するための形態に基づいて、この発明をより具体的に説明する。
【００２０】
図において、合成樹脂モノフィラメント製の土木用籠材１は、合成樹脂モノフィラメントからなる線材ａを六角形の亀甲形Ｋに編み上げた網体を６面に有する箱形に形成したもので、箱形の上面部分には向かい合う一対の蓋面１１、４面からなる箱形の側面１２、２重底からなる箱形の底面１３から構成されている。蓋面１１、側面１２及び底面１３の各面は、合成樹脂モノフィラメントからなる線材ａを亀甲形Ｋに編み上げた網面で形成されている。
【００２１】
合成樹脂モノフィラメントは、強度や耐久性にすぐれている。特に耐水性に優れていることは生け簀用網として使用されていることで実証済みである。土木用籠材１は内部に石などの中詰め材を詰めて、河川などで使用されるので、錆びない特性は貴重である。この合成樹脂モノフィラメントには耐久性や強度に優れた例えばポリエステルが使用される。
【００２２】
合成樹脂モノフィラメントの線材ａは、直径が例えば２mm〜５mmのものが使用される。直径が２mmの場合には強度不足や耐久性の低下の問題がある。また、直径が５mm以上になると、土木用籠材１として利用できる六角形の亀甲形Ｋに編み上げことが難しいし、また過剰な強度と耐久性を有することになり経済性がさらに低下するからである。引っ張り強度としては１０kg／mm2以上が望まれる。
【００２３】
合成樹脂モノフィラメント製の土木用籠材１は、蓋無し網体２と蓋有り網体３の２つの部品よりなっている。この２つの部品を箱形の土木用籠材１に組み立て場合に、蓋無し網体２は網体の一部が当該籠材１の蓋面１１を構成しない側の網体であり、蓋有り網体３は網体の一部が同籠材１の蓋面１１を構成する側の網体である。
【００２４】
蓋無し網体２は、合成樹脂モノフィラメントからなる線材ａを亀甲形Ｋに編み上げた網体からなり、加工前は平面からみて方形状の平面になっている。蓋無し網体２は、亀甲形Ｋを構成する隣り合う２本の線材ａを撚った撚り軸ｂの軸方向ｔ（図４参照）になる網体の両端側は少し重ね合うようにそれぞれ折り曲げられた折り曲げ片２１になっている。折り曲げ片２１は例えば１０cmほどが重ね合うようにそれぞれ折り曲げられている。撚り軸ｂの軸方向ｔになる網体の両端側を重ね合うように折り曲げて折り曲げ片２１を形成するのは、撚り軸ｂの軸方向ｔになる蓋無し網体２の両端側は、亀甲形Ｋの六角形になっていなく、強度的に弱くなっているので、端部を折り曲げて補強しているのである。
【００２５】
蓋無し網体２の亀甲形Ｋの撚り軸ｂの軸方向ｔ（図４参照）になる両側は、折り曲げ片２１がそれぞれ形成された両端から中央側寄りに向けて箱形の土木用籠材１の高さに相当する長さだけ離れた位置で、折り曲げ片２１の折り曲げ方向と同じ方向の上下向きの例えば直角な上向きに折り曲げられている。この折り曲げの向きは、上向きに直角に折り曲げられた部分は箱形の土木用籠材１に組み立てられたとき、向かい合う側面２２を構成することになるが、この側面２２に形成されている亀甲形Ｋの撚り軸ｂの軸方向ｔが上下向きになるようにするためである。
【００２６】
土木用籠材１の内部に中詰め材を詰め込むと、中詰め材の重さでこの側面２２には上下向き側に対して強い曲げ力が作用して曲がりやすくなる。これから側面２２が簡単に曲がらないようにするためには、上下向き側回りに作用する曲げモーメントに対して抵抗する曲げ剛性を高めることが必要となる。この曲げ剛性を高める役目を果たすのが亀甲形Ｋの撚り軸の向きで、これが上下向きの場合には曲げ剛性が高まり、側面２２が中詰め材の重さで変形するのが防がれるのである。
【００２７】
向かい合う側面２２の間の折り曲げられなかった部分は箱形の土木用籠材１の二重の底面の一方側の底面２３を構成することになる。この蓋無し網体２は側面から見て、上向きにコ字型になっていて、直角に折り曲げられた両側が側面２２となり、両側面２２の間の中央部分が底面２３になる。
【００２８】
蓋有り網体３は、合成樹脂モノフィラメントからなる線材ａを亀甲形Ｋに編み上げた網体からなり、加工前は平面からみて方形状の平面になっている。蓋有り網体３は、亀甲形Ｋを構成する隣り合う２本の線材ａを撚った撚り軸ｂの軸方向ｔ（図４参照）になる網体の両側が、両端から中央側寄りに向けて箱形の土木用籠材１の蓋面１１に相当する長さだけ離れた位置で、直角に折り曲げられている。この直角に折り曲げられた両部分は箱形の土木用籠材１に組み立てられたとき、先端側が上下に一部重ね合う蓋面３１をそれぞれ構成することになる。
【００２９】
蓋有り網体３の亀甲形Ｋの撚り軸ｂの軸方向ｔ（図４参照）になる両側は、蓋面３１がそれぞれ直角に折り曲げられた位置から中央側寄りに向けて箱形の土木用籠材１の高さに相当する長さだけ離れた位置で、蓋面３１の折り曲げ方向と同じ方向に直角な上向きに折り曲げられている。この折り曲げの向きは、上向きに直角に折り曲げられた部分は箱形の土木用籠材１に組み立てられたとき、向かい合う側面３２を構成することになるが、この側面３２に形成されている亀甲形Ｋの撚り軸ｂの軸方向ｔが上下向きになるようにするためである。
【００３０】
土木用籠材１の内部に中詰め材を詰め込むと、中詰め材の重さでこの側面３２には上下向き側に対して強い曲げ力が作用して曲がりやすくなる。これから側面３２が簡単に曲がらないようにするためには、上下向き側回りに作用する曲げモーメントに対して抵抗する曲げ剛性を高めることが必要となる。この曲げ剛性を高める役目を果たすのが亀甲形Ｋの撚り軸の向きで、これが上下向きの場合には曲げ剛性が高まり、側面３２が中詰め材の重さで変形するのが防がれるのである。
【００３１】
向かい合う側面３２の間の折り曲げられなかった部分は箱形の土木用籠材１の二重の底面の一方側の底面３３を構成することになる。この蓋有り網体３は側面から見て、長方形の枠型になっていて、上面側で先端側が一部重なり合う部分が両蓋面３１となり、直角に上向きに折り曲げられた両側が側面３２となり、両側面３２の間の中央部分が底面３３になる。
【００３２】
合成樹脂モノフィラメントからなる復元用線材４は、輸送時にロール状に巻かれて折り畳まれて小さくなった土木用籠材１を元の箱形の形状に瞬時に復元させる働きをなすものである。復元用線材４は、蓋無し網体２及び蓋有り網体３を構成する線材ａと同じものを例えば３本束ねてこれを捩って１本の線状にしたものが使用される。合成樹脂モノフィラメントからなる復元用線材４は熱を加えない場合には十分な復元力を備えている。また、３本束ねてこれを捩って１本にしているため、網体２，３の線材ａに比べて剛性が強くなってその復元力も高まる。
【００３３】
復元用線材４は、蓋無し網体２或いは蓋有り網体３の直角に折り曲げられた辺縁や端縁に沿って取り付けられるが、必要に応じて蓋無し網体２及び蓋有り網体３の双方の直角に折り曲げられた辺縁や端縁に沿って取り付けられることもある。
【００３４】
図１に示すように復元用線材４が蓋無し網体２に取り付けられる場合には、図１に示すように例えば次の箇所に取り付けられる。復元用線材４は、蓋無し網体２の折り曲げ片２１を折り曲げて重ねた２辺の周辺縁つまり両側面２２の上辺縁２２ａ、両側面２２の左右両側端縁２２ｂ及び底面２３の折り曲げられてない側の両幅端縁２３ａに沿ってそれぞれ取り付けられている。このうち側面２２の左右両側端縁２２ｂに取り付けられた復元用線材４は、上下向きになる。なお、土木用籠材１に組み立てられた後は、側面２２の上辺縁２２ａは側面１２の上辺縁１２ａになり、側面２２の側端縁２２ｂは側面１２の側端縁１２ｂになり、側面２２の下辺縁２３ａ及び底面２３の折り曲げられてない側の幅端縁２３ａは側面１２の下辺縁１２ｃになる。復元用線材４は亀甲形Ｋの網目の間を挿通されている。復元用線材４は蓋無し網体２の両端側の折り曲げ片２１を折り曲げて重ねた後、上向きにコ字型に折り曲げられる前の方形状の間にその４辺の周辺端縁に沿って取り付けられる。
【００３５】
また、復元用線材４が蓋有り網体３に取り付けられる場合には、図２に示すように例えば次の箇所に取り付けられる。復元用線材４は、蓋有り網体３の蓋面３１を直角に折り曲げた２辺の周辺縁つまり両側面３２の上辺縁３２ａ、両側面３２の左右両側端縁３２ｂ及び底面３３の折り曲げられてない側の両幅端縁３３ａに沿ってそれぞれ取り付けられている。このうち側面３２の左右両側端縁３２ｂに取り付けられた復元用線材４は、上下向きになる。なお、土木用籠材１に組み立てられた後は、側面３２の上辺縁３２ａは側面１２の上辺縁１２ａになり、側面３２の側端縁３２ｂは側面１２の側端縁１２ｂになり、側面３２の下辺縁３２ｃ及び底面３３の折り曲げられてない側の幅端縁３３ａは側面１２の下辺縁１２ｃになる。復元用線材４は亀甲形Ｋの網目の間を挿通されている。復元用線材４は蓋有り網体３の両側の蓋面３１を直角に折り曲げた後、或いは蓋面３１を折り曲げる前の折り曲げ予定線上にその４辺の周辺端縁に沿って取り付けられる。
【００３６】
合成樹脂モノフィラメント製の土木用籠材１は、これを構成する蓋無し網体２の底面２３に対して上向き直角に折り曲げられた向かい合う側面２２と、同様に構成する蓋有り網体３の底面３３に対して上向き直角に折り曲げられた向かい合う側面３２とが平面から見て直角の位置関係になるようにして、蓋無し網体２の底面２３と蓋有り網体３の底面３３とは上下で重ね合わせられている。
【００３７】
蓋無し網体２の底面２３と蓋有り網体３の底面３３とは上下で重ね合わせられていて、土木用籠材１の底面は２重になる。このため、この２重になった底面が輸送時にロール状に巻かれて折り畳まれて小さくなった土木用籠材１を復元用線材４との協動により元の箱形の形状に瞬時に復元させる手助けとなる働きがある。
【００３８】
この上下で重ねるとき、蓋無し網体２に復元用線材４が取り付けられている場合には、蓋無し網体２の底面２３を下側にし、蓋有り網体３の底面３３を上側にして重ね合わせられている。逆に蓋有り網体３に復元用線材４が取り付けられている場合には、蓋有り網体３の底面３３を下側にし、蓋無し網体２の底面２３を上側にして重ね合わせられている。
【００３９】
上下に重ね合わせられて直角に接する蓋無し網体２の側面２２の両側端縁２２ｂと、蓋有り網体３の側面３２の両側端縁３２ｂとは、図７にしめすように、合成樹脂モノフィラメント製の連結用線材１４によって連結されている。連結用線材１４は螺旋状に巻かれながら側面２２の側端縁２２ｂと直角に接する側面３２の両側端縁３２ｂとを連結している。つまり、連結用線材１４は、側面２２の側端縁２２ｂの亀甲形Ｋの撚り軸ｂの軸方向ｔ（図４参照）と平行な端辺と、側面３２の側端縁３２ｂの亀甲形Ｋの撚り軸ｂの軸方向ｔと平行な端辺とを、交互に、亀甲形Ｋの網目の間を螺旋状に巻かれながら挿通されている。
【００４０】
また、蓋無し網体２の底面２３の幅端縁２３ａと蓋有り網体３の側面３２の下辺縁３２ｃとは、合成樹脂モノフィラメント製の連結用線材１４によって連結されている。連結用線材１４は螺旋状に巻かれながら底面２３の幅端縁２３ａと上下で直角に接する側面３２の下辺縁３２ｃとを連結している。つまり、連結用線材１４は、底面２３の幅端縁２３ａの亀甲形Ｋの撚り軸ｂの軸方向ｔと平行な端辺と、側面３２の下辺縁３２ｃとを、交互に、亀甲形Ｋの網目の間を螺旋状に巻かれながら挿通されている。
【００４１】
蓋無し網体２の側面２２の片方の側端縁２２ｂと蓋有り網体３の側面３２の片方の側端縁３２ｂとを連結する連結用線材１４と、蓋無し網体２の底面２３の端縁２３ａと蓋有り網体３の側面３２の下辺縁３２ｃとを途中まで連結する連結用線材１４とは、同一の１本の線材ａからなっていて、連続的に連結されている。同様に、他方の側端縁２２ｂと側端縁３２ｂとを連結する連結用線材１４と、幅端縁２３ａと下辺縁３２ｃとを途中まで連結する別の連結用線材１４とは、同一の１本の線材ａからなっている。幅端縁２３ａと下辺縁３２ｃの中央部分は２本の連結用線材１４によって一部重複して連結されている。
【００４２】
通水性マット５は、耐水性、耐候性、耐腐食性に優れた化学合成繊維を不規則に配列して不織布の繊維層に形成し、強度と弾性を有するもので、土木用籠材１の底面部分に、水の浄化機能を果たす微生物を付着させて、河川の浄化を図る場合に、蓋無し網体２の底面２３と蓋有り網体３の底面３３との間にサンドイッチ状に挟まれて使用される。なお通水性マット５は化学合成繊維以外の天然繊維が使用されることもある。この通水性マット５は、土砂や底面２３，３３の亀甲形Ｋの網目をすり抜ける小石が流出するのを防ぐ場合にも使用される。
【００４３】
通水性マット５は、蓋無し網体２の底面２３と蓋有り網体３の底面３３との間にサンドイッチ状に挟まれて使用されるので、土木用籠材１の内部に中詰め材を詰め込んでも、中詰め材の重さでずれるという懼れはない。通水性マット５は底面２３，３３の平面サイズと略同じサイズの方形状になる。また、通水性マット５は弾性力があり復元力を有するため、輸送時にロール状に巻かれて折り畳まれて小さくなった土木用籠材１を復元用線材４との協動により元の箱形の形状に瞬時に復元させる手助けとなる働きがある。
【００４４】
図８に示すように、合成樹脂モノフィラメント製の土木用籠材１の向かい合う一対の側面１２の上側には吊り輪６が取り付けられている。吊り輪６は中詰め材を詰め込んだ土木用籠材１をクレーンで吊り上げる場合にクレーンのフックで引っ掛けられる部分である。吊り輪６は索状６１の両端に形成されている。吊り輪６が形成された索状６１は土木用籠材１の底面１３と向かい合う側面１２の外周に沿って一体的に取り付けられている。又その両端の吊り輪６は側面１２の上側に出るように取り付けられている。
【００４５】
吊り輪６は、土木用籠材１が小型の場合には、片側の側面１２に２個、合計で４個取り付けられる。土木用籠材１が大型になると、その大きさに合わせて、吊り輪６の個数は増加し、４つの側面１２の全てに取り付けられることもある。
【００４６】
次に、合成樹脂モノフィラメント製の土木用籠材１の製作方法について以下説明する。
土木用籠材１は、蓋無し網体２と蓋有り網体３の２個の部品から構成され、蓋無し網体２及び蓋有り網体３は次のようにして製作される。
【００４７】
蓋無し網体２は次のようにして製作される。
合成樹脂モノフィラメントからなる線材ａを六角形の亀甲形Ｋに編み上げた平面な網面を所定の大きさの方形状に裁断する。このとき亀甲形Ｋの撚り軸ｂの軸方向ｔ（図４、図５参照）に対して直交方向に裁断される。撚り軸ｂの軸方向ｔに平行な両幅端は亀甲形Ｋに編み上げる場合にその幅サイズになるように予め製造される。
【００４８】
この平面な蓋無し網体２の亀甲形Ｋの撚り軸ｂの軸方向ｔとなる両端部分を、例えば１０cmほどが重ね合うようにそれぞれ折り曲げる。蓋無し網体２の両端部分には折り曲げ片２１が形成される。前にも述べたように、蓋無し網体２の亀甲形Ｋの撚り軸ｂの軸方向ｔとなる両端部分の強度を高めるためである。
【００４９】
蓋無し網体２に復元用線材４が取り付けられる場合には、この後、蓋無し網体２の折り曲げ片２１を折り曲げて重ねた２辺の周辺縁と、折り曲げられなかった他の２辺の周辺縁に取り付けられる。復元用線材４は亀甲形Ｋの網目の間を挿通させて取り付けられる（図６（Ｃ）参照）。蓋無し網体２に復元用線材４を取り付けない場合にはこの作業は省略される。
【００５０】
このとき、蓋無し網体２は上向きにコ字型に折り曲げられてなく、平面状であるため、その分、復元用線材４の取り付け作業は楽になる。蓋無し網体２が上向きにコ字型に折り曲げられた後は、復元用線材４を取り付け箇所は、折り曲げて重ねた２辺の周辺縁は両側面２２の上辺縁２２ａとなり、折り曲げられなかった他の２辺の周辺縁は両側面２２の左右両側端縁２２ｂ及び底面２３の折り曲げられてない側の両幅端縁２３ａになる。
【００５１】
折り曲げ片２１が形成された両端から中央寄りに、それぞれ土木用籠材１の高さに相当する長さ位置で上向きに直角に折り曲げて、側面２２をそれぞれ形成する。これにより、蓋無し網体２は、両側に側面２２が形成され、中央部分が底面２３となる、上向きにコ字型の形状に形成される。
【００５２】
蓋有り網体３は次のようにして製作される。
合成樹脂モノフィラメントからなる線材ａを六角形の亀甲形Ｋに編み上げた平面な網面を所定の大きさの方形状に裁断する。このとき亀甲形Ｋの撚り軸ｂの軸方向ｔ（図４、図５参照）に対して直交方向に裁断される。撚り軸ｂの軸方向ｔに平行な両幅端は亀甲形Ｋに編み上げる場合にその幅サイズになるように予め製造される。
【００５３】
この平面な蓋有り網体３の亀甲形Ｋの撚り軸ｂの軸方向ｔとなる網体の両側を、両端から中央側寄りに向けて箱形の土木用籠材１の蓋面１１に相当する長さだけ離れた位置で、
それぞれ上向きに直角に折り曲げる。折り曲げられた部分は蓋面３１となる。この蓋面３１は箱形に組み立てられた後は土木用籠材１の蓋面１１になる。
【００５４】
蓋有り網体３に復元用線材４が取り付けられる場合には、上記の折り曲げる前に、復元用線材４を折り曲げ予定線上に沿って取り付けるか、上記の折り曲げ後は復元用線材４を折り曲げ辺縁に取り付け、また復元用線材４を折り曲げられなかった他の２辺の周辺縁に取り付ける。復元用線材４は亀甲形Ｋの網目の間を挿通させて取り付けられる（図６（Ｃ）参照）。蓋有り網体３に復元用線材４を取り付けない場合にはこの作業は省略される。
【００５５】
折り曲げる前に取り付けるときは、平面状であるため、その分、復元用線材４の取り付け作業は楽になる。蓋有り網体３が長方形の枠状に折り曲げられた後は、復元用線材４を取り付け箇所は、折り曲げた２辺の周辺縁は両側面３２の上辺縁３２ａとなり、折り曲げられなかった他の２辺の周辺縁は両側面３２の左右両側端縁３２ｂ及び底面３３の折り曲げられてない側の両幅端縁３３ａになる。
【００５６】
上向きに直角に折り曲げられて蓋面３１が形成された下端から中央寄りに、それぞれ土木用籠材１の高さに相当する長さ位置でさらに上向きに直角に折り曲げて、側面３２をそれぞれ形成する。これより前に上向きに直角に折り曲げられて蓋面３１は、上向きの状態から水平状態になり、蓋面３１は互いにその先端側は上下で一部重なり合う。これにより、蓋有り網体３は、上面に一対の蓋面３１が形成され、両側に側面３２が形成され、下面中央部分が底面３３となる、長方形の枠型の形状に形成される。
【００５７】
続いて、土木用籠材１は蓋無し網体２と蓋有り網体３とを組み合わせて次のようにして製作される。
蓋無し網体２の向かい合う一対の側面２２と蓋有り網体３の向かい合う一対の側面３２とが互いに直交するように取り付ける。つまり側面２２の側端縁２２ｂと側面３２の側端縁３２ｂとが直角な隅角部で隣り合って接するように取り付ける。
【００５８】
この場合において、蓋無し網体２の周縁側に復元用線材４が取り付けられているときには、蓋無し網体２の底面２３を下側にし、その上側から蓋有り網体３の底面３３を重ねるようにして取り付ける（図１参照）。蓋有り網体３の周縁側に復元用線材４が取り付けられているときには、逆にして、蓋有り網体３の底面３３を下側にし、その上側から蓋無し網体２の底面２３を重ねるようにして取り付ける（図２参照）。何れにしても、復元用線材４が取り付けられている側の網体２又は網体３を下側にするのが好ましい。双方の網体２，３に復元用線材４が取り付けられているときには、どちらを下側にしてもよい。
【００５９】
底面２３，３３の間に通水性マット５を取り付ける場合には、底面となる側の上に通水性マット５を敷いた後に上側と底面をその上から被せて、通水性マット５を上下の底面２３，３３でサンドイッチ状に挟む（図１〜図３参照）。通水性マット５は上下の底面２３，３３で挟まれることでずれるのが防がれる。
【００６０】
このあと、直角な隅角部で隣り合う同士の側面２２の側端縁２２ｂと側面３２の側端縁３２ｂとを、連結用線材１４を使って連結する（図７参照）。連結用線材１４は、側面３２の下辺縁３２ｃと底面２３の幅端縁２３ａとの一部を螺旋状に巻きながら連結した後に続けて側端縁２２ｂ，３２ｂの下端側から上向きに連続して螺旋状に巻きながら連結する。側端縁２２ｂ，３２ｂのみを連結する場合よりも、側面３２の下辺縁３２ｃと底面２３の幅端縁２３ａとを一部含めて連続して連結した方が側端縁２２ｂ，３２ｂの連結力は強くなる。
【００６１】
以上の方法によって、上面部分が一対の蓋面１１、側周面部分が４つの側面１２，底面部分が二重となる底面２３，３３で構成された箱形の合成樹脂モノフィラメント製の土木用籠材１が製作される。
【００６２】
箱形の合成樹脂モノフィラメント製の土木用籠材１を現場に輸送する場合には、蓋面１１と二重の底面２３，３３とが重なり合うように上下を重ね合わせて潰す（図９（Ａ）参照）。このとき４つの側面１２はその高さ方向の中間部分で一時的に弧状に曲がる。これを土木用籠材１の長手方向に向けてロール状に巻き（図９（Ｂ）参照）、紐ｃでその外周側を一時的に巻いて元の箱形に戻らないように固定し（図９（Ｃ）参照）、巻いて小さく折り畳んだ状態で現場に運ぶ。
【００６３】
現場で使用するときには、固定していた紐ｃを外すと、復元用線材４の働きで、元の箱形の土木用籠材１に瞬時に復帰する。すなわち、４つの側面１２の隣り合う隅角部には全て復元用線材４が上下向きに取り付けられているので、一時的に弧状に曲がっていた４つの側面１２は、この復元用線材４の働きで上下方向の直線上に復帰する。また、側面１２の上辺縁１２ａ又は下辺縁１２ｃの少なくとも一方に取り付けられた復元用線材４と、二重底になった底面２３，３３との協動による働きで、ロール状に巻かれた蓋面１１や底面２３，３３部分は、平面状に復帰する。また、底面２３，３３の間に通水性マット５が挟まれている場合には、この通水性マット５の働きも加わって、さらに平面状に復帰しやすくなる。
【００６４】
その後は、一対の蓋面１１を上側に開けて、内部に栗石などの中詰め材を詰め込み、一対の蓋面１１を閉じ、一対の蓋面１１の周縁及び一部が重なる部分を連結用線材１４で連結して、一対の蓋面１１が開かないように固定する。土木用籠材１に取り付けられた吊り輪６をクレーンのフックで引っ掛けて、中詰め材が充填された合成樹脂モノフィラメント製の土木用籠材１を所定の設置場所に移動して下ろす。
【００６５】
なお、この発明は上記発明を実施するための形態に限定されるものではなく、この発明の精神を逸脱しない範囲で種々の改変をなし得ることは勿論である。
【符号の説明】
【００６６】
１    土木用籠材
１１    蓋面
１２    側面
１２ａ  上辺縁
１２ｂ  側端縁
１２ｃ  下辺縁
１３    底面
１４    連結用線材
２    蓋無し網体
２１    折り曲げ片
２２    側面
２２ａ  上辺縁
２２ｂ  側端縁
２２ｃ  下辺縁
２３    底面
２３ａ  幅端縁
３    蓋有り網体
３１    蓋面
３２    側面
３２ａ  上辺縁
３２ｂ  側端縁
３２ｃ  下辺縁
３３    底面
３３ａ  幅端縁
４    復元用線材
５    通水性マット
６    吊り輪
６１    索状
ａ    線材
ｂ    撚り軸
ｃ    紐
ｔ    軸方向
Ｋ    亀甲形
【図１】
0005647947.tif 000002
【図２】
0005647947.tif 000003
【図３】
0005647947.tif 000004
【図４】
0005647947.tif 000005
【図５】
0005647947.tif 000006
【図６】
0005647947.tif 000007
【図７】
0005647947.tif 000008
【図８】
0005647947.tif 000009
【図９】
0005647947.tif 000010